(57)【要約】【課題】省電力動作モード時にエンジン制御部へのクロック信号の入力が停止され，通常動作モードへの切替時にエンジン制御部がリセットされる構成において，該通常動作モードへの切替時に実行される復帰処理を当該画像形成装置の電源投入時よりも簡略化すること。【解決手段】メイン制御部は，当該画像形成装置の電源が投入された後，エンジン制御部から所定の準備完了信号が入力された場合に第一の復帰処理信号を入力し（Ｓ１５），エンジン制御部がリセットされた後，前記エンジン制御部から所定の準備完了信号が入力された場合に前記第一の復帰処理信号と異なる第二の復帰処理信号を入力する（Ｓ１３）。そして，前記エンジン制御部は，前記第一の復帰処理信号が入力された場合に第一の復帰処理を実行し（Ｓ２５），前記前記第二の復帰処理信号が入力された場合に前記第一の復帰処理よりも簡略化された第二の復帰処理（Ｓ２６）を実行する。【選択図】図３
2008062490.tif 000002
【特許請求の範囲】
【請求項１】
入力される画像データに基づいて画像形成動作を行う画像形成部と，
入力されるクロック信号に従って前記画像形成部を制御する画像形成制御手段と，
予め設定されたモード切替条件に従って当該画像形成装置の動作モードを，前記画像形成部による画像形成動作が可能な通常動作モードと該通常動作モードよりも消費電力の低い省電力動作モードとの間で切り替えるモード切替手段と，
前記通常動作モード時に前記画像形成制御手段へ前記クロック信号を入力し，前記省電力動作モード時及び当該画像形成装置の電源切時に前記画像形成制御手段への前記クロック信号の入力を停止するクロック信号制御手段と，
前記省電力動作モードから前記通常動作モードへの切替時に前記画像形成制御手段をリセットするリセット手段と，
を備えてなる画像形成装置であって，
当該画像形成装置の電源が投入された後，前記画像形成制御手段から所定の準備完了信号が入力された場合に，第一の復帰処理信号を該画像形成制御手段に入力し，前記リセット手段により前記画像形成制御手段がリセットされた後，前記画像形成制御手段から所定の準備完了信号が入力された場合に，前記第一の復帰処理信号と異なる第二の復帰処理信号を該画像形成制御手段に入力する復帰処理制御手段を備えてなり，
前記画像形成制御手段が，前記復帰処理制御手段により前記第一の復帰処理信号が入力された場合に第一の復帰処理を実行し，前記復帰処理制御手段により前記第二の復帰処理信号が入力された場合に前記第一の復帰処理よりも簡略化された第二の復帰処理を実行するものであることを特徴とする画像形成装置。
【請求項２】
前記第二の復帰処理が，前記第一の復帰処理に含まれるキャリブレーション処理及び／又はエージング処理が省略されることにより該第一の復帰処理よりも簡略化されたものである請求項１に記載の画像形成装置。
【請求項３】
前記画像形成制御手段と別に設けられ，前記クロック信号の停止時間を計時すると共に，該停止時間を前記画像形成制御手段に通知する計時通知手段を更に備えてなり，
前記画像形成制御手段が，前記計時通知手段により通知された前記停止時間に基づいて前記第一の復帰処理及び／又は前記第二の復帰処理の内容を変更するものである請求項１又は２のいずれかに記載の画像形成装置。
【発明の詳細な説明】
【技術分野】
【０００１】
本発明は，画像形成部による画像形成動作が可能な通常動作モードと該通常動作モードよりも消費電力の低い省電力動作モードとを有する画像形成装置に関し，特に，前記省電力動作モード時に，前記画像形成部を制御するエンジン制御部へのクロック信号の入力が停止される画像形成装置に関するものである。
【背景技術】
【０００２】
複写機，ファクシミリ装置，プリンタ装置，複合機等の画像形成装置の動作モードとしては，通常の画像形成動作を行う通常動作モードや，定着ヒータや各種のセンサなどへの電力の供給を遮断することにより消費電力を省減する省電力動作モード等がある。
これらの動作モードは，画像形成装置を統括制御するメイン制御部により，予め設定されたモード切替条件に基づいて切替制御される。例えば，通常動作モードにおいて原稿画像データ或いは印字データの入力がない状態が一定時間以上継続した場合には省電力動作モードに切り替えられ，省電力動作モードにおいて利用者によりコピー操作（原稿カバーの開閉操作やコピースタートの押圧操作等）等がなされた場合には通常動作モードに切り替えられる。
【０００３】
一方，前記画像形成装置には，画像形成を行う画像形成部を制御するエンジン制御部が，前記メイン制御部とは別に設けられている。ここで，前記メイン制御部は，省電力動作モードにおいても動作可能であるが，前記エンジン制御部は，省電力動作モード時の電力消費をできるだけ低減する目的で動作が完全に停止される場合がある（例えば特許文献１の段落［０１２５］〜［０１３６］参照）。
例えば，特許文献１に記載されているように，前記エンジン制御部へのクロック信号の入力が停止されることにより，該エンジン制御部の動作は停止される。この場合には，前記エンジン制御部が動作していないため，前記エンジン制御部に制御信号を入力しても該エンジン制御部では該制御信号に基づく処理を実行することができない。
そのため，省電力動作モードから通常動作モードへの切替時には，前記メイン制御部によって前記エンジン制御部のリセット（電源の瞬時的な切入作業）が行われる。これにより，前記エンジン制御部では，前記画像形成装置の電源投入時の状態が擬似的に再現される。そして，前記リセットにより再起動された前記エンジン制御部では，前記画像形成装置の電源投入時と同様に，メモリの初期化やキャリブレーション処理，エージング処理などの各種の復帰（ウェイクアップ）処理が実行される。
このように，通常モードへの切替時に前記エンジン制御部のリセットを行う構成では，前記画像形成装置の電源投入時と通常動作モードへの切替時との両方において同一の復帰処理が実行される。これは，前記エンジン制御部で，該エンジン制御部の再起動の原因が，画像形成装置の電源投入であるか，通常動作モードへの切替時のリセットであるかを判断することができないためである。
【特許文献１】特開２００４−４２６３９号公報
【発明の開示】
【発明が解決しようとする課題】
【０００４】
ところで，前記画像形成装置の電源投入時に前記エンジン制御部において実行される復帰処理には，省電力動作モードから通常動作モードへの切替時に実行する必要のない処理手順が含まれていることがある。例えば，前記画像形成装置の電源投入時に実行されるキャリブレーション処理やエージング処理などは，前記通常動作モードへの切替時には省略しても差し障りがない。
しかしながら，従来では，前記画像形成装置の電源投入時と通常動作モードへの切替時とにおいて同一の復帰処理しか実行することができず，前記通常動作モードへの切替時に必要以上の処理が実行されることになるため，その復帰処理に要する時間が無駄に長くなるという問題があった。
従って，本発明は上記事情に鑑みてなされたものであり，その目的とするところは，省電力動作モード時にエンジン制御部へのクロック信号の入力が停止され，通常動作モードへの切替時にエンジン制御部がリセットされる構成において，該通常動作モードへの切替時に実行される復帰処理を当該画像形成装置の電源投入時よりも簡略化することのできる画像形成装置を提供することにある。
【課題を解決するための手段】
【０００５】
上記目的を達成するために本発明は，入力される画像データに基づいて画像形成動作を行う画像形成部と，入力されるクロック信号に従って前記画像形成部を制御する画像形成制御手段と，予め設定されたモード切替条件に従って当該画像形成装置の動作モードを，前記画像形成部による画像形成動作が可能な通常動作モードと該通常動作モードよりも消費電力の低い省電力動作モードとの間で切り替えるモード切替手段と，前記通常動作モード時に前記画像形成制御手段へ前記クロック信号を入力し，前記省電力動作モード時及び当該画像形成装置の電源切時に前記画像形成制御手段への前記クロック信号の入力を停止するクロック信号制御手段と，前記省電力動作モードから前記通常動作モードへの切替時に前記画像形成制御手段をリセットするリセット手段と，を備えてなる画像形成装置に適用されるものであって，当該画像形成装置の電源が投入された後，前記画像形成制御手段から所定の準備完了信号が入力された場合に，第一の復帰処理信号を該画像形成制御手段に入力し，前記リセット手段により前記画像形成制御手段がリセットされた後，前記画像形成制御手段から所定の準備完了信号が入力された場合に，前記第一の復帰処理信号と異なる第二の復帰処理信号を該画像形成制御手段に入力するように構成される。
そして，前記画像形成制御手段は，前記第一の復帰処理信号が入力された場合に第一の復帰処理を実行し，前記第二の復帰処理信号が入力された場合に前記第一の復帰処理よりも簡略化された第二の復帰処理を実行するように構成される。
具体的に，前記第二の復帰処理は，前記第一の復帰処理に含まれるキャリブレーション処理やエージング処理を省略することにより該第一の復帰処理よりも簡略化される。
このように構成された前記画像形成装置では，当該画像形成装置の電源投入時と前記通常動作モードへの切替時とで異なる復帰処理信号（第一の復帰処理信号，第二の復帰処理信号）が前記画像形成制御部（前記エンジン制御部に相当）に入力される。これにより，前記画像形成制御部は，当該画像形成装置の電源投入時と前記通常動作モードへの切替時との違いを判断することができるため，前記通常動作モードへの切替時に，前記第一の復帰処理よりも簡略化された前記第二の復帰処理を実行することができ，該復帰処理に要する時間を短縮することができる。
【０００６】
また，前記画像形成制御手段と別に，前記クロック信号の停止時間を計時すると共に，該停止時間を前記画像形成制御手段に通知する計時通知手段を設けておけば，前記画像形成制御手段では，前記計時通知手段により通知された前記停止時間に基づいて前記第一の復帰処理や前記第二の復帰処理の内容を変更することが可能となる。これにより，例えばエージング処理の実行時間を，前記クロック信号の停止時間に応じて適切に変更することができる。
【発明の効果】
【０００７】
本発明によれば，当該画像形成装置の電源投入時と前記通常動作モードへの切替時とで異なる復帰処理信号（第一の復帰処理信号，第二の復帰処理信号）が前記画像形成制御部（前記エンジン制御部に相当）に入力されることにより，前記画像形成制御部は，当該画像形成装置の電源投入時と前記通常動作モードへの切替時との違いを判断することができるため，前記通常動作モードへの切替時に，前記第一の復帰処理よりも簡略化された前記第二の復帰処理を実行することができ，該復帰処理に要する時間を短縮することができる。
また，前記画像形成制御手段と別に，前記クロック信号の停止時間を計時すると共に，該停止時間を前記画像形成制御手段に通知する計時通知手段を設けておけば，前記画像形成制御手段では，前記計時通知手段により通知された前記停止時間に基づいて前記第一の復帰処理や前記第二の復帰処理の内容を変更することが可能となり，例えばエージング処理の実行時間を，前記クロック信号の停止時間に応じて適切に変更することができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像形成装置Ｘの概略構成を示すブロック図，図２は前記画像形成装置Ｘにおいて実行されるモード切替処理の手順の一例を説明するためのフローチャート，図３は前記画像形成装置Ｘにおいて実行される復帰切替処理の手順の一例を説明するためのフローチャートである。
まず，図１を用いて，本発明の実施の形態に係る画像形成装置Ｘの概略構成について説明する。前記画像形成装置Ｘは，例えば複写機，ファクシミリ装置，プリンタ装置，複合機等である。
【０００９】
図１に示すように，本発明の実施の形態に係る画像形成装置Ｘは，ＣＰＵ及びＲＯＭ，ＲＡＭ等の周辺装置からなり前記ＲＯＭに格納された所定のプログラムに従った処理を実行することにより当該画像形成装置Ｘを統括的に制御するメイン制御部１と，各種の表示や操作が行われる液晶ディスプレイ，タッチパネルなどを有する表示・操作部２と，図外の画像読取装置（スキャナ装置など）や外部から入力された画像データに所定の画像処理を施す画像処理部３と，前記画像処理部３から入力された画像データに基づいて画像形成動作を行う画像形成部４と，前記メイン制御部１からの指示により任意の周波数のクロック信号を生成して出力するクロック信号制御部５（クロック信号制御手段の一例）と，前記クロック信号制御部５から入力されるクロック信号に従って（同期して）前記画像形成部４を制御するエンジン制御部４１（画像形成制御手段の一例）と，を備えて概略構成されている。
【００１０】
前記画像形成部４は，レーザースキャニングユニットなどの露光装置，前記露光装置によって露光される感光体ドラム，前記感光体ドラムの表面上に形成された静電潜像をトナーカートリッジから供給されるトナーによって現像する現像器，及び前記現像器によって前記感光体ドラムの表面上に形成されたトナー像を用紙に転写する転写装置，該トナーを用紙に定着させる定着装置などを備えて構成されている。
前記エンジン制御部４１は，ＣＰＵ及びＲＯＭ，ＲＡＭ等の周辺装置からなり前記ＲＯＭに格納された所定のプログラムに従った処理を実行することにより，前記画像形成部４の各構成要素を制御して画像形成動作を実行させる。
【００１１】
前記画像形成装置Ｘは，従来装置と同様に，前記画像形成部４による画像形成動作が可能な通常動作モードと，通常動作モードよりも消費電力の低いスリープモード（省電力動作モードの一例，なお待機モードやスタンバイモード等とも称される）とを有しており，これらの動作モードは，前記メイン制御部１によって，予め設定されたモード切替条件に基づいて切り替えられる。なお，スリープモードは，例えば前記画像形成部４や不図示の各種のセンサなどへの電力供給を遮断することにより消費電力を省減する動作モードである。ここに，前記画像形成装置Ｘの動作モードを，通常動作モードとスリープモードとの間で切り替えるための後述のモード切替処理（図２のフローチャート参照）を実行するときの前記メイン制御部１がモード切替手段に相当する。
例えば，通常動作モードにおいて原稿画像データ或いは印字データの入力がない状態が一定時間以上継続した場合にはスリープモードに切り替えられ，スリープモードにおいて利用者によりコピー操作（原稿カバーの開閉操作やコピースタートの押圧操作等）等がなされた場合には通常動作モードに切り替えられる。
また，前記画像形成装置Ｘでは，前記動作モードの切替時に，前記クロック信号制御部５による前記エンジン制御部４１へのクロック信号の入力の有無が切り替えられる。例えば，通常動作モードからスリープモードへの切替時には，前記クロック信号制御部５による前記エンジン制御部４１へのクロック信号の入力が完全に停止される。これにより，スリープモードにおける消費電力をより省減することができる。
【００１２】
前記クロック信号制御部５は，ＲＣ時定数を任意に変更することによって，任意の周波数でクロック信号を生成することが可能なＲＣ発振器を有している。なお，前記クロック信号制御部５は，水晶振動子などを有するものであることも他の実施例として考えられる。
前記クロック信号制御部５で生成されたクロック信号は，前記エンジン制御部４１に入力される。但し，前記画像形成装置Ｘの主電源スイッチが切られている時には，前記メイン制御部１以外への駆動電力の供給経路が遮断されるため，前記クロック信号制御部５による前記エンジン制御部４１へのクロック信号の入力は完全に停止される。
また，前述したように，前記クロック信号制御部５では，後述するモード切替処理（図２のフローチャート参照）において，前記メイン制御部１からの指示により，前記エンジン制御部４１へのクロック信号の入力の有無が切り替えられる。具体的には，通常動作モード時は前記エンジン制御部４１へ前記クロック信号を入力し，スリープモード時には前記エンジン制御部４１への前記クロック信号の入力を停止するように前記メイン制御部１によって制御される。
【００１３】
ところで，前記画像形成装置Ｘでは，該画像形成装置Ｘ本体の電源投入時に，前記画像形成部４を画像形成動作可能な状態に移行させるための各種の復帰（ウェイクアップ）処理が，前記エンジン制御部４１によって実行される。例えば，前記復帰処理には，前記エンジン制御部４１内のメモリの初期化や，キャリブレーション処理，エージング処理などが含まれる。
また，前記画像形成装置Ｘでは，スリープモードから通常動作モードへの移行時にも，前記画像形成部４を画像形成動作可能な状態に移行させるための各種の復帰処理が，前記エンジン制御部４１によって実行される。但し，前述したように，前記スリープモード時，前記エンジン制御部４１は完全に停止している状態であるため，外部からの受信信号に基づいて処理を実行することができない。そのため，通常動作モードへの切替時の復帰処理は，スリープモードから通常動作モードへの切替時に，前記メイン制御部１によって前記エンジン制御部４１のリセットが行われることにより開始される。なお，前記エンジン制御部４１のリセット処理を実行するときの前記メイン制御部１がリセット手段に相当する。
【００１４】
このように，スリープモード時に前記エンジン制御部４１へのクロック信号の入力を停止し，通常動作モードへの移行時に前記エンジン制御部４１のリセットを行う構成では，前記エンジン制御部４１で，前記画像形成装置Ｘ本体の電源投入と，スリープモードから通常動作モードへの切替時におけるリセットとを判別することはできない。そのため，従来，前記エンジン制御部４１では，前記画像形成装置Ｘ本体の電源投入時と，スリープモードから通常動作モードへの移行時とにおいて，同一の復帰処理が実行されていた。
しかし，本発明の実施の形態に係る前記画像形成装置Ｘでは，前記メイン制御部１により後述のモード切替処理（図２のフローチャート参照）が実行され，前記メイン制御部１及び前記エンジン制御部４１の間で後述の復帰切替処理（図３のフローチャート参照）が実行されることにより，前記画像形成装置Ｘ本体の電源投入時と，スリープモードから通常動作モードへの移行時とで異なる復帰処理が実行される。
【００１５】
まず，図２のフローチャートを参照しつつ，前記メイン制御部１によって実行されるモード切替処理の手順の一例について説明する。ここで，当該モード切替処理は，前記画像形成装置Ｘが通常動作モードの状態で開始されるものとする。なお，図中のＳ１，Ｓ２，…は処理手順（ステップ）の番号を表している。
［ステップＳ１，Ｓ２］
ステップＳ１では，前記メイン制御部１によって，予め設定されたモード切替条件に従ってスリープモードへの移行の要否が判断される。例えば，前述したように，原稿画像データ或いは印字データの入力がない状態が一定時間以上継続した場合に，スリープモードへの移行が必要であると判断される。
ここで，スリープモードへの移行が必要ないと判断されている間は，当該ステップＳ１の判断が繰り返し実行され（Ｓ１のＮｏ側），通常動作モードが継続されるが，スリープモードへの移行が必要であると判断された場合には（Ｓ１のＹｅｓ側），処理はステップＳ２に移行する。
ステップＳ２では，前記メイン制御部１によって前記クロック信号制御部５が制御されることにより，該クロック信号制御部５から前記エンジン制御部４１へのクロック信号の入力が停止される。これにより，前記エンジン制御部４１では，クロック信号が受信されないため，該エンジン制御部４１の動作は停止する。なお，このとき前記メイン制御部１では，前記画像形成装置Ｘ全体をスリープモードに移行させるための処理が他にも実行されるが，ここではその説明を省略する。
【００１６】
［ステップＳ３〜Ｓ５］
その後，ステップＳ３では，前記メイン制御部１によって，予め設定されたモード切替条件に従って通常動作モードへの移行の要否が判断される。例えば，スリープモードにおいて利用者によりコピー操作（原稿カバーの開閉操作やコピースタートの押圧操作等）等がなされた場合に，通常動作モードへの移行が必要であると判断される。
ここで，通常動作モードへの移行が必要ないと判断されている間は，当該ステップＳ３の判断が繰り返し実行され（Ｓ３のＮｏ側），スリープモードが継続されるが，通常動作モードへの移行が必要であると判断された場合には（Ｓ３のＹｅｓ側），処理はステップＳ４に移行する。
ステップＳ４では，前記メイン制御部１によって前記エンジン制御部４１のリセットが行われる。例えば，前記エンジン制御部４１に続く電源供給経路の途中に設けられた不図示のスイッチをＯＦＦ／ＯＮして，前記エンジン制御部４１への電源供給を瞬断することにより，該エンジン制御部４１がリセットされる。これにより，前記エンジン制御部４１では，後述する復帰処理（図３のフローチャート参照）が開始される。
そして，前記ステップＳ４と略並行して実行されるステップＳ５では，前記メイン制御部１によって前記クロック信号制御部５が制御されることにより，該クロック信号制御部５から前記エンジン制御部４１へのクロック信号の入力が開始される。これにより，前記エンジン制御部４１では，クロック信号が受信されるため，該エンジン制御部４１の動作が開始される。なお，このとき前記メイン制御部１では，前記画像形成装置Ｘ全体をスリープモードから通常動作モードに移行させるための処理が他にも実行されるが，ここではその説明を省略する。
【００１７】
［ステップＳ６］
その後，ステップＳ６では，前記メイン制御部１によって，前記エンジン制御部４１がリセットされた旨を示すリセットフラグが“０”から“１”に更新され，処理はステップＳ１に戻る。ここに，前記リセットフラグは，例えば前記メイン制御部１のＲＡＭに記憶されたものであって，“１”で前記エンジン制御部４１がリセットされたこと，“０”で前記エンジン制御部４１がリセットされていないことを示す。なお，前記リセットフラグの初期値は“０”である。即ち，前記画像形成装置Ｘでは，該画像形成装置Ｘの電源投入時には前記リセットフラグが“０”であるが，スリープモードから通常動作モードへ切り替えられた場合には，前記ステップＳ６において前記リセットフラグが“１”となる。そして，前記リセットフラグは，後述する復帰切替処理において，前記画像形成装置Ｘの電源投入（リセットフラグ＝０）であるか，スリープモードから通常動作モードへの切替（リセットフラグ＝１）であるかの判断指標に用いられる。
【００１８】
次に，図３のフローチャートを参照しつつ，前記メイン制御部１及び前記エンジン制御部４１の間で実行される復帰切替処理の手順の一例について説明する。なお，図３（ａ）中のＳ１１，Ｓ１２，…は前記メイン制御部１側の処理手順（ステップ）番号，図３（ｂ）中のＳ２１，Ｓ２２，…は前記エンジン制御部４１側の処理手順（ステップ）番号を表している。
ここで，前記メイン制御部１側の復帰切替処理は，該メイン制御部１の動作時に適宜実行される。一方，前記エンジン制御部４１側の復帰切替処理は，前記画像形成装置Ｘの電源が投入された場合又は前記メイン制御部１により該エンジン制御部４１のリセットが行われた場合（前記ステップＳ４）に開始される。
【００１９】
まず，前記メイン制御部１側の処理について説明する。
［ステップＳ１１，Ｓ１２］
ステップＳ１１では，前記メイン制御部１によって，前記エンジン制御部４１から準備完了信号が受信されたか否かが判断される。ここで，前記準備完了信号が受信されていないと判断されている間（Ｓ１１のＮｏ側）は，当該ステップＳ１１が繰り返し実行される。一方，前記準備完了信号が受信されたと判断されると（Ｓ１１のＹｅｓ側），処理はステップＳ１２に移行する。
ステップＳ１２では，前記リセットフラグが“１”であるか否かが前記メイン制御部１によって判断される。ここでは，前記リセットフラグが“０”であるか“１”であるかに基づいて，前記準備完了信号が，前記画像形成装置Ｘの電源投入された後，前記エンジン制御部４１から入力されたものであるか，スリープモードから通常動作モードへ切り替えられた後，前記エンジン制御部４１から入力されたものであるかが判断される。
ここで，前記リセットフラグが“１”であると判断された場合（Ｓ１２のＹｅｓ側）には，処理はステップＳ１３に移行し，前記リセットフラグが“０”であると判断された場合（Ｓ１２のＮｏ側）には，処理はステップＳ１５に移行する。
【００２０】
［ステップＳ１３，Ｓ１４］
前記ステップＳ１２において，前記リセットフラグが“１”であると判断された場合，即ち，前記エンジン制御部４１から入力された前記準備完了信号が，スリープモードから通常動作モードへの切替時の前記エンジン制御部４１のリセットに起因して発生したものである場合には，その旨を示すスリープ復帰処理信号（第二の復帰処理信号の一例）が，前記メイン制御部１によって前記エンジン制御部４１に出力される（Ｓ１３）。これにより，前記エンジン制御部４１は，前記スリープ復帰処理信号を受信する。
そして，ステップＳ１４では，前記メイン制御部１によって，前記リセットフラグが“１”から“０”に更新され（リセット），処理は前記ステップＳ１１に戻る。
【００２１】
［ステップＳ１５］
一方，前記ステップＳ１２において，前記リセットフラグが“０”であると判断された場合，即ち，前記エンジン制御部４１から入力された前記準備完了信号が，前記画像形成装置Ｘの電源投入に起因して発生したものである場合には，その旨を示す電源投入復帰処理信号（第一の復帰処理信号の一例）が，前記メイン制御部１によって前記エンジン制御部４１に出力される（Ｓ１５）。これにより，前記エンジン制御部４１は，前記電源投入復帰処理信号を受信する。その後，処理は前記ステップＳ１１に戻る。
このように，前記画像形成装置Ｘでは，前記メイン制御部１によって，前記画像形成装置Ｘの電源が投入された後，前記エンジン制御部４１から準備完了信号が入力された場合には，前記電源投入復帰処理信号（第一の復帰処理信号の一例）が該エンジン制御部４１に入力され，前記メイン制御部１により前記エンジン制御部４１がリセットされた後，前記エンジン制御部４１から準備完了信号が入力された場合には，前記電源投入復帰処理信号と異なる前記スリープ復帰処理信号（第二の復帰処理信号の一例）が該エンジン制御部４１に入力される。ここに，かかる処理を実行するときの前記メイン制御部１が復帰処理制御手段に相当する。
【００２２】
次に，前記エンジン制御部４１側の処理について説明する。
前記エンジン制御部４１では，前記画像形成装置Ｘの電源が投入された場合，又は，前記画像形成装置Ｘの動作モードがスリープモードから通常動作モードに切り替えられることにより，前記メイン制御部１によって該エンジン制御部４１のリセットが行われた場合（図２のフローチャート参照，Ｓ４）に，当該復帰処理が開始される。
【００２３】
［ステップＳ２１，Ｓ２２］
まず，ステップＳ２１では，前記エンジン制御部４１によって，該エンジン制御部４１のメモリの初期化やパラメータ設定，前記メイン制御部１との通信設定など，各種のイニシャライズ処理が実行される。
そして，前記イニシャライズ処理が完了すると，続くステップＳ２２では，前記エンジン制御部４１によって，前記メイン制御部１に対して準備完了信号が出力される。これにより，前記メイン制御部１では，前記準備完了信号が受信される（Ｓ１１）。
【００２４】
［ステップＳ２３，Ｓ２４］
その後，前記エンジン制御部４１では，前記メイン制御部１から前記スリープ復帰処理信号又は前記電源投入復帰処理信号の受信が待ち受けられる（Ｓ２３〜Ｓ２４）。
ここで，前記メイン制御部１から前記スリープ復帰処理信号が入力されたと判断されると（Ｓ２３のＹｅｓ側），処理はステップＳ２６に移行し，前記メイン制御部１から前記電源投入復帰処理信号が入力されたと判断されると（Ｓ２４のＹｅｓ側），処理はステップＳ２５に移行する。
【００２５】
［ステップＳ２５，Ｓ２６］
ステップＳ２５では，前記エンジン制御部４１によって，前記画像形成部４の色調整などを行うキャリブレーション処理や予備運転を行うエージング処理などを含む復帰処理（第一の復帰処理の一例）が，前記画像形成装置Ｘの電源投入時の復帰処理として実行される。
一方，ステップ２６では，前記エンジン制御部４１によって，前記ステップＳ２５の復帰処理に含まれた前記キャリブレーション処理を省略することにより簡略化された復帰処理（第二の復帰処理の一例）が，スリープモード復帰時の復帰処理として実行される。即ち，前記画像形成装置Ｘでは，スリープモードからの復帰時には，前記画像形成装置Ｘの電源投入時の復帰処理（Ｓ２５）よりも簡略化された復帰処理が実行されため，該復帰処理に要する時間が短縮される。
【００２６】
以上説明したように，前記画像形成装置Ｘでは，該画像形成装置Ｘの電源投入時とスリープモードから通常動作モードへの切替時とで異なる信号（電源投入復帰処理信号，スリープ復帰処理信号）が，前記メイン制御部１から前記エンジン制御部４１に入力されるため（Ｓ１３，Ｓ１５），該エンジン制御部４１では，前記画像形成装置Ｘの電源投入時とスリープモードから通常動作モードへの切替時とを判別することが可能となる。したがって，スリープモードから通常動作モードへの切替時の復帰処理（Ｓ２６）では，前記画像形成装置Ｘの電源投入時の復帰処理（Ｓ２５）よりも処理を簡略化することにより，該通常動作モードへの切替時の復帰処理に要する時間を短縮することができる。
なお，前記ステップＳ２６では，前記キャリブレーション処理が省略された復帰処理が実行される場合を例に挙げたがこれに限られるものではない。例えば，前記エージング処理やその他の処理を省略することや，前記キャリブレーション処理及び前記エージング処理などの複数の処理を省略することも考えられる。また，前記エージング処理を実行する時間を短縮することも処理の簡略化に相当する。
【実施例】
【００２７】
ところで，前記画像形成装置Ｘでは，該画像形成装置Ｘの非動作時間によって，前記画像形成部４の復帰処理を適切に変更することが望ましい。例えば，前記画像形成装置Ｘが長時間動作していなかった場合には，画像形成開始前にエージング処理を十分に長い時間実行し，非動作時間が短時間である場合には，そのエージング処理の実行時間を短縮することが考えられる。以下，このような構成を実現する実施例について説明する。
【００２８】
前記メイン制御部１は，前記クロック信号制御部５による前記エンジン制御部４１へのクロック信号の入力の停止時間，即ち前記画像形成装置Ｘの電源が切断されてから次に電源が投入されるまでの時間や，スリープモードに移行してから次に通常動作モードに移行するまでの時間を計時するための処理を実行する。
そして，前記メイン制御部１は，前記ステップＳ１３（図３のフローチャート参照）において前記スリープ復帰処理信号を出力する際や，前記ステップＳ１５（図３のフローチャート参照）において前記電源投入復帰処理信号を出力する際に，前記計時された停止時間を同時に通知するための処理を実行する。ここに，かかる処理を実行するときの前記メイン制御部１が計時通知手段に相当する。
【００２９】
これにより，前記エンジン制御部４１では，前記ステップＳ２５，Ｓ２６（図３のフローチャート参照）において復帰処理を実行するときに，前記メイン制御部１から通知された前記停止時間に応じて，その復帰処理の内容が変更される。例えば，前記停止時間が１時間未満であれば前記エージング処理の実行時間を５秒とし，前記停止時間が１時間以上であれば前記エージング処理の実行時間を１０秒とするように設定しておくことが考えられる。
なお，ここでは，前記エージング処理の実行時間を変更する場合を例に挙げて説明したが，これに限られず，前記キャリブレーション処理やその他の処理の内容を変更するものであってもよい。
また，前記エンジン制御部４１が，前記計時された停止時間に応じて前記電源投入復帰処理を実行するか，前記スリープ復帰処理を実行するかを切り替えることも他の実施例として考えられる。例えば，前記ステップＳ２３において前記スリープ復帰処理信号が受信されたと判断された場合であっても，そのときに通知された前記停止時間が予め設定された所定時間以上である場合には，前記画像形成装置Ｘの電源投入時と同様の復帰処理を実行する必要があると判断し，処理をステップＳ２５に移行させることが考えられる。
【図面の簡単な説明】
【００３０】
【図１】本発明の実施の形態に係る画像形成装置の概略構成を示すブロック図。
【図２】本発明の実施の形態に係る画像形成装置において実行されるモード切替処理の手順の一例を説明するためのフローチャート。
【図３】本発明の実施の形態に係る画像形成装置において実行される復帰切替処理の手順の一例を説明するためのフローチャート。
【００３１】
１…メイン制御部
２…表示・操作部
３…画像処理部
４…画像形成部
４１…エンジン制御部
５…クロック信号制御部
Ｓ１，Ｓ２，…，…処理手順（ステップ）番号
Ｓ１１，Ｓ１２，…，…処理手順（ステップ）番号
Ｓ２１，Ｓ２２，…，…処理手順（ステップ）番号
【図１】
2008062490.tif 000003
【図２】
2008062490.tif 000004
【図３】
2008062490.tif 000005